(57)【要約】      （修正有）【課題】速い熱循環の効果が得られる遠赤外線機能付き多孔性セラミックキャリアを提供する。【解決手段】多孔性セラミックキャリアに関し、各種類の加熱素子のキャリアとして適用され、主として、一体成形で機能性遠赤外線材である本体が含有され、本体上には、複数の貫通穴があり、当該本体は、四角形や円形等の適当な外形を有し、貫通穴の表面には、電熱コーティングフィルムがあり、本考案は、更に、ファンモータ及びファンケーシングが含有され、当該ファンモータの伝動軸は、ファンケーシング内まで延ばされ、また、ファンフィンが設けられ、ファンモータとファンフィンとの間には、少なくとも一つの多孔性セラミックキャリアが設けられ、当該電熱コーティングフィルムは、加熱することに供され、ファンフィンによって後ろから冷たい空気が入り込んで、当該冷たい空気は、電熱コーティングフィルムを有する貫通穴を通して加熱されて、ファンフィンの正面から吹き出され、これにより、速い熱循環の効果が得られる。【選択図】図２
0003114202.tif 000002
【実用新案登録請求の範囲】
【請求項１】
主として、一体成形で機能性遠赤外線材である本体が含有され、本体上に、複数の貫通穴があり、当該本体が、四角形や円形等の適当な外形を有し、貫通穴の表面に、電熱コーティングフィルムがある、ことを特徴とする遠赤外線機能付き多孔性セラミックキャリア。
【請求項２】
更に、ファンモータとファンケーシングが含有され、当該ファンモータの伝動軸が、ファンケーシング内まで延ばされ、また、ファンフィンが設けられ、ファンモータとファンフィンとの間に、少なくとも一つの多孔性セラミックキャリアが設けられ、当該電熱コーティングフィルムが、加熱することに供され、ファンフィンによって後ろから冷たい空気が入り込んで、当該冷たい空気が、電熱コーティングフィルムを有する貫通穴を通して加熱され、ファンフィンの正面から、加熱された暖かい空気が吹き出される、ことを特徴とする請求項１に記載の遠赤外線機能付き多孔性セラミックキャリア。
【請求項３】
一つだけの多孔性セラミックキャリアを設置する場合、当該多孔性セラミックキャリアは、中央に、伝動軸を貫通するための貫通穴が設けられ、ファンケーシングは、多孔性セラミックキャリアが設置される位置に、多孔性セラミックキャリアを固定するための固定ベースが設けられる、ことを特徴とする請求項２に記載の遠赤外線機能付き多孔性セラミックキャリア。
【請求項４】
複数の多孔性セラミックキャリアを設置する場合、中央において、伝動軸を貫設するための穴が設けられ、ファンケーシングは、多孔性セラミックキャリアが設置される位置に、多孔性セラミックキャリアを固定するための固定ベースが設けられる、ことを特徴とする請求項２に記載の遠赤外線機能付き多孔性セラミックキャリア。
【請求項５】
当該ファンモータの後ろに、補助ファンが設けられる、ことを特徴とする請求項２乃至４の何れかの一つに記載の遠赤外線機能付き多孔性セラミックキャリア。
【考案の詳細な説明】
【技術分野】
【０００１】
本考案は、多孔性セラミックキャリアに関し、特に、遠赤外線を放射できる各種類の加熱素子に適用され、冷暖ファンに応用され、速い熱循環且つ酸素を燃焼しない効果が得られるキャリアに関する。
【背景技術】
【０００２】
多孔性セラミックキャリアは、幅広く、触媒キャリア（例えば、触媒や還元とする脱臭触媒や遠赤外線触媒…等）や加熱素子或いは導電素子にに応用され、加熱素子を例として、従来の電熱ワイヤーと比較すると、使用する時、二次の伝熱や導熱を必要としないため、加熱が素早く、そして、均一や安全そして高熱効率の利点が得られる。従来の多孔性セラミックキャリアは、図１のように、主として、一体成形である本体(A)と、本体上に位置する複数の貫通穴(B)とが含有され、当該本体(A)は、四角形や円形等の「本実施例において、円形である」適当な外形を有し、貫通穴(B)は、各種類の機能性材を付着するためのベースであるが、本体(A)自身が遠赤外線を放射しないのは、その欠点である。
【０００３】
また、セラミックは、放射線を有する物質であり、その種類が多くて、成分も様々であり、主として、酸化アルミニウムや酸化ジルコニウム、酸化マグネシウム及び二酸化チタンである。異なる組み合わせにより、主な波長範囲が異なることだけでなく、機能も異なる。その中、放射する遠赤外線〈波長が4-1000ミクロンである〉が大幅に応用される。4-14ミクロンの波長である遠赤外線は、生育光線とも称される。遠赤外線は、1、保温、脱臭、抗菌、乾燥速い、2、紫外線の遮断、3、静電防止と電磁波の遮断、4、マイナスイオン生成の効果が得られるため、各種類の製品に、大幅に適用される。遠赤外線は、1、人体の皮下の15センチメートルまでの浸透、2、共振吸収、3、電子レンジに類似する加熱等の特徴を持つ。遠赤外線は、1、前記の共振原理により、人体を構成する70％水分子を、大デーム水分子から小デーム水分子に変換して、比重が増加する現象が発生し、また、カルシウムイオンの移動や新陳代謝を加速し、2、遠赤外線の透過能力と共振吸収により、皮下組織の分子を振動させて、そのエネルギーを熱エネルギーに変換し、これにより、皮下組織の温度が上昇し、毛細血管が拡張されて、血液循環が促進され、3、希土類鉱石を遠赤外線鉱石の中に混入し、遠赤外線により、希土類鉱石を励起し、微弱な放射線を放射し、空気に位置する微粒子をイオン化して、マイナスイオンを生成し、マイナスイオンが人体に入ると、新陳代謝と細胞の活性化を促進し、酸化作用を抑制する。遠赤外線は、新陳代謝の加速と血液循環の促進、マイナスイオンを生成することによる新陳代謝の促進、細胞の活性化及び酸化作用の抑制ができるため、熱風を発生する製品に適用する。
【０００４】
また、従来の扇風機は、主として、ファンモータとファンケーシングとが含有され、ファンモータの伝動軸は、ファンケーシング内まで延ばされ、また、ファンフィンが設けられ、扇風機の設計としては、左右へスウィングするため、短時間に、スウィングした角度範囲に風が吹かれ、しかしながら、冬場において、扇風機は、使うことがないだけでなく、収納するスペースが必要である。台湾の冬場は、北方のように寒くないが、寒流が来る時、熱い天気に慣れている台湾人にとって、厳しいことになり、そのため、冬場において、色んな放熱器が登場する。従来の電気放熱器製品は、石英管を加熱源とし、石英管が酸素を燃焼するため、長期に、密閉的な空間で使用されると、危険なことであり、また、当該電気放熱器は、生成した熱が電気放熱器の周辺に滞在して循環しないため、暖房の効果が悪く、また、その正面にあるケーシングは、直接に受熱して温度が高くなり、不注意に触ると、火傷になる恐れがある。また、他に、フィン式電気放熱器があり、フィン内に熱い油を循環させ、フィンと空気との接触により、暖房の効果が得られ、このような電気放熱器は、空気を燃焼することと火傷になることがない欠点がないが、フィンが、空気との接触面積が制限されるだけでなく、生成した熱が電気放熱器の周辺に滞在して循環しないため、暖房の効果がよくない。また、他に、PTCセラミック電気放熱器があり、それは、上記の欠点がないが、PTC材が高いため、売価が高く付く。最近、外型が扇風機に類似する電気放熱器が登場し、ファンの代わりにハライドランプを使用し、左右へスウィングする構造があるが、ハライドランプの正面に位置するケーシングは、ハライドランプが短い距離で直接的に照射するため、高温になり、不注意と、火傷になる恐れがある。以上は、解決しなければならない、従来の技術にある既存する欠点である。
【考案の開示】
【考案が解決しようとする課題】
【０００５】
本考案は、速い熱循環の効果が得られる遠赤外線機能付き多孔性セラミックキャリアを提供する。
【課題を解決するための手段】
【０００６】
本考案者は、従来の技術の欠点を解消するため、長年の、電熱部品や工業セラミック製品の設計製造についての専門知識に基づいて、何度もの研究や改良を重ねて、本考案を提案した。
【０００７】
本考案の主な目的は、主として、一体成形で機能性遠赤外線材である本体が含有され、本体上に、複数の貫通穴があり、当該本体が、四角形や円形等の適当な外形を有し、貫通穴の表面に、電熱コーティングフィルムがある、遠赤外線機能付き多孔性セラミックキャリアを提供する。
【０００８】
本考案の主な目的は、更に、ファンモータとファンケーシングが含有され、当該ファンモータの伝動軸が、ファンケーシング内まで延ばされ、また、ファンフィンが設けられ、ファンモータとファンフィンとの間に、少なくとも一つの多孔性セラミックキャリアが設けられ、当該電熱コーティングフィルムが、加熱することに供され、ファンフィンによって後ろから冷たい空気が入り込んで、当該冷たい空気が、電熱コーティングフィルムを有する貫通穴を通して加熱され、ファンフィンの正面から吹き出されることにより、速い熱循環の効果が得られる、遠赤外線機能付き多孔性セラミックキャリアを提供する。
【考案を実施するための最良の形態】
【０００９】
以下、図面を参照しながら、より良い実施例について、詳しく説明する。
【００１０】
まず、図２は、本考案の実施例の多孔性セラミックの断面図であり、本考案は、図のように、主として、一体成形「例えば、金型による押出成形」で機能性遠赤外線材(10)である本体(1)「機能性遠赤外線材は、例えば、セラミック材である、遠赤外線材を変換できる従来の材料であり、ベース材を成形する前、多孔性セラミックキャリアを混入してから、成形される」が含有され、本体(1)上には、複数の貫通穴(11)があり、当該本体は、四角形や円形等の適当な外形「実装する環境に合わせることで、本実施例は、円形である」を有し、貫通穴(11)の表面には、例えば、錫やニッケル-クロム系合金、銅-ニッケル合金或いは銅-ニッケル-マンガン合金…等の電熱コーティングフィルム(12)「図３を参照しながら、電熱コーティングフィルムは、従来の抵抗材からなり、熱化学反応方法（高温霧化生長方法である従来の技術である）により、貫通穴(11)上に電熱コーティングフィルム(12)が形成される」があり、このような構成である本考案の多孔性セラミックキャリアは、遠赤外線を放射する特徴がある。
【００１１】
図４は、本考案を冷暖ファンに適用する実施例の組立て図であり、本実施例は、図のように、更に、ファンモータ(2)とファンケーシング(3)があり、当該ファンモータ(2)の伝動軸(20)は、ファンケーシング(3)内まで延ばされ、また、ファンフィン(4)が設けられ、本実施例において、主として、ファンモータ(2)とファンフィン(4)との間に、少なくとも一つの多孔性セラミックキャリア(1)が設置され、貫通穴(11)の表面に電熱コーティングフィルム(12)があるため、当該電熱コーティングフィルム(12)は、加熱することに供され、ファンフィン(4)によって後ろから冷たい空気が入り込んで、当該冷たい空気は、電熱コーティングフィルム(12)を有する貫通穴(11)を通して加熱され、ファンフィン(4)の正面から、適当に設定された温度に加熱された熱い空気が吹き出され、使用する時、電熱コーティングフィルム(12)について、二次の伝熱や導熱を必要としないため、加熱が素早く、そして、均一や安全そして空気を燃焼しない高熱効率の利点が得られ、また、ファン自身の設計は、自動的に左右へ適当な角度に回転できる設計により、素早く暖かい空気を室内全体に拡散することで、速い熱循環の効果が得られる。本考案は、図５のように、少なくとも一つの多孔性セラミックキャリア(1)「本実施例において、五つの多孔性セラミックキャリア(1)がある」があり、複数の多孔性セラミックキャリア(1)を設置する時、中央において、伝動軸(20)を貫設するための穴(C)が設けられ、そして、図６を参照しながら、一つだけを設置する場合、本考案の前記の多孔性セラミックキャリア(1)は、中央に、伝動軸(20)を貫通するための貫通穴(13)が設けられ、前記のファンケーシング(3)は、多孔性セラミックキャリア(1)が設置される位置に、多孔性セラミックキャリア(1)を固定するための固定ベース(30)が設けられる。また、本考案は、ファンモータ(2)の後ろに、補助ファン(21)が設けられ、当該補助ファン(21)を設置することにより、補助ファンフィン(4)で外部の空気を中へ送りこんで、ファンモータを冷却する。これにより、本考案は、設計目的を達成できる実用的なものである。
【００１２】
以上の説明のような、本考案に係わる遠赤外線機能付き多孔性セラミックキャリアは、刊行物に披露されることなく、そして、実用新案登録請求の要件を満たすため、法に従って実用新案登録請求を出願する。
【００１３】
以上の説明は、ただ、本考案のより良い実施例であり、本考案は、其れによって制限されず、この技術を良く分かる熟練者であれば、本考案の明細書や実用新案登録請求の範囲に従って、簡単に、等価な構造変化ができ、それは、全てが、本考案の実用新案登録請求の範囲に含まれる。
【図面の簡単な説明】
【００１４】
【図１】従来の多孔性セラミックキャリアの断面図
【図２】本考案の多孔性セラミックキャリアの断面図
【図３】本考案の多孔性セラミックキャリアの局部拡大図
【図４】本考案の実施例の組立て図
【図５】本考案の多孔性セラミックキャリアを複数設置する時の概念図
【図６】本考案の多孔性セラミックキャリアを１個設置する時の断面図
【符号の説明】
【００１５】
(A)本体                            (B)貫通穴
(1)本体
(10)機能性遠赤外線材
(11)貫通穴                  (12)電熱コーティングフィルム
(13)貫通穴
(2)ファンモータ
(20)伝動軸                  (21)補助ファン
(3)ファンケーシング
(30)固定ベース
(4)ファンフィン
(C)穴
【図１】
0003114202.tif 000003
【図２】
0003114202.tif 000004
【図３】
0003114202.tif 000005
【図４】
0003114202.tif 000006
【図５】
0003114202.tif 000007
【図６】
0003114202.tif 000008